(57)【要約】【課題】地上波デジタル放送受信機における居住者地域設定を分かりやすくし、かつ簡単に行えるようにする。【解決手段】受信機の居住者地域設定を行う際、受信可能な放送局のサーチを行い、すべての居住者地域設定の場合についてワンタッチボタン割り当て及び番組表の並び順を生成し、ワンタッチボタンに多くの放送局が割り当てられる順に、例えば５地域程度を居住者地域設定の候補として抽出し、抽出された候補の地域と「その他」を居住者地域選択ボタン２として画面表示すると共に、居住者地域選択ボタン２の選択状態となっている地域に対応したワンタッチボタン設定サンプル３および現在時刻の各局番組表サンプル４を表示する。【選択図】図１
2008271300.tif 000002
【特許請求の範囲】
【請求項１】
地上波デジタル放送を受信できる受信機において、受信可能な局のサーチを行った際に、複数の居住者地域設定の候補を居住者地域選択ボタンとして表示すると共に、その居住者地域設定におけるワンタッチボタンの自動設定結果を表示し、前記居住者地域選択ボタンの選択によりワンタッチボタンの設定と居住者地域設定を同時に行えるようにしたことを特徴とする地上波デジタル放送受信機。
【請求項２】
地上波デジタル放送を受信できる受信機において、受信可能な局のサーチを行った際に、複数の居住者地域設定の候補を居住者地域選択ボタンとして表示すると共に、その居住者地域設定における番組表の並び順の自動設定結果を表示し、前記居住者地域選択ボタンの選択により番組表の並び順の設定と居住者地域設定を同時に行えるようにしたことを特徴とする地上波デジタル放送受信機。
【請求項３】
地上波デジタル放送を受信できる受信機において、受信可能な局のサーチを行った際に、複数の居住者地域設定の候補を居住者地域選択ボタンとして表示すると共に、その居住者地域設定におけるワンタッチボタンの自動設定結果およびその居住者地域設定における番組表の並び順の自動設定結果をそれぞれ表示し、前記居住者地域選択ボタンの選択により居住者地域設定と、ワンタッチボタンの設定および番組表の並び順の設定とを同時に行えるようにしたことを特徴とする地上波デジタル放送受信機。
【請求項４】
請求項１〜３のいずれかに記載の地上波デジタル放送受信機において、視聴者に提示する居住者地域設定の候補として、ワンタッチボタンに登録されるサービスの数が多いいくつかの地域を優先して表示し、他の地域については表示しないことを特徴とする地上波デジタル放送受信機。
【請求項５】
請求項１〜３のいずれかに記載の地上波デジタル放送受信機において、視聴者に提示する居住者地域設定の候補として、放送局が放送波で指定するワンタッチボタン番号のとおりに登録されるサービスの数が多いいくつかの地域を優先して表示し、他の地域については表示しないことを特徴とする地上波デジタル放送受信機。
【請求項６】
請求項１〜３のいずれかに記載の地上波デジタル放送受信機において、視聴者に提示する居住者地域設定の候補として、サーチ時に受信状態の良好であった局があるいくつかの地域を優先して表示し、他の地域については表示しないことを特徴とする地上波デジタル放送受信機。
【請求項７】
請求項１〜６のいずれかに記載の地上波デジタル放送受信機において、最も適切と推定される居住者地域設定の候補を予め選択状態としておき、視聴者が居住者地域設定の選択を省略した場合にその候補が自動的に居住者地域設定されることを特徴とする地上波デジタル放送受信機。
【発明の詳細な説明】
【技術分野】
【０００１】
本発明は、地上波デジタル放送の放送信号に含まれる放送局の地域識別情報をもとに、自動的にワンタッチボタン、番組表を設定する機能を有する地上波デジタル放送受信機の、視聴者による居住者地域設定機能に関するものである。
【背景技術】
【０００２】
地上波デジタル放送受信機においては、受信可能な局のサーチを行ったときに、受信機の居住者地域設定に基づいて受信可能な局のワンタッチボタン割り当て及び番組表の並び順を自動的に設定することが、地上デジタルテレビジョン放送運用規定  ＡＲＩＢ  ＴＲ−Ｂ１４  第２編、及びＪＥＩＴＡ  地上デジタルテレビジョン放送受信機  受信機動作ガイドラインによって定められている。そのため、正しくワンタッチボタン割り当て及び番組表の並び順を設定するためには、サーチの前に視聴者が適切な居住者地域設定を行う必要がある。
【０００３】
一般に市販されている地上波デジタル放送受信機においては、居住者地域設定は全国の地域名の一覧から手動で選択するものが多く、手間がかかる。また、サーチの前に居住者地域設定を行う必要があることについては、取扱説明書及び画面表示で記述されているのみのものが多い。
また、地域設定が誤った状態、もしくは未設定の状態でサーチを行うと、ワンタッチボタン及び番組表の並び順も誤った設定となるという問題点がある。同じ放送を受信した際の居住者地域設定によるワンタッチボタン設定の違いの例を図６に示す。
居住者地域設定とワンタッチボタン割り当て及び番組表の並び順に関連性があることは、視聴者にとって一般的な知識とは言いがたい。また、設定を面倒に感じ、出荷時の設定のまま使用を開始する視聴者も少なくないものと予想される。そのため、ワンタッチボタン割り当てや番組表の並び順が異常になる症状が発生した場合に、居住者地域設定の誤りによるものと推測することは視聴者にとっては難しく、受信機の故障と誤解される恐れもある。
【０００４】
居住者地域設定を自動化することで視聴者の負担を軽減する技術として、特許文献１に開示されたものがある。この技術においては、ＧＰＳを用いて受信機の位置を測定することで、居住者地域設定を自動化している。また、特許文献２には、居住者地域設定の前に受信可能な局のサーチを行い、放送信号の地域識別を参照して、最も多くの放送局がある地域を自動的に居住者地域として設定する技術が開示されており、地図上で隣接する地域を候補として提示するようになっている。さらに、特許文献３には、居住者地域設定の前に受信可能な局のサーチを行い、最も受信状態（Ｃ／Ｎ比）の良好であった局のある地域を自動的に居住者地域として設定する技術も開示されている。
【特許文献１】特開２００５−２６７６９号公報
【特許文献２】特開２００４−３１２２０３号公報
【特許文献３】特開２００４−３１２２０４号公報
【発明の開示】
【発明が解決しようとする課題】
【０００５】
しかしながら、特許文献１に開示された技術の場合、ＧＰＳを用いて受信機の位置を測定することで、居住者地域設定を自動化できるが、ＧＰＳを導入するために受信機のコストが高くなる点が問題である。また、地域の境界付近で受信する視聴者が、地域内の局の受信状況が悪いため、あえて隣の地域の設定にしたい、などの細かい受信環境に対応することが難しい。また、特許文献２に開示された技術の場合、サーチを行った際の受信状況が悪かった場合に誤った設定がされる可能性がある。また、隣接地域にもともと放送局が多いような地域では、その隣接区域に居住者地域設定されてしまう可能性が高い。さらに、特許文献３に開示された技術の場合も、サーチを行った際の受信状況が悪かった場合に誤った設定がされる可能性がある。また、ケーブルテレビのパススルーによる受信環境では受信状態に差がない場合があり、居住者地域を推定できない。
また、上記の先行技術のいずれについても、自動設定の結果誤った居住者地域設定になった場合に、居住者地域設定とワンタッチボタン割り当て及び番組表の並び順に関連性があることを視聴者が理解しにくい点においては一般的な受信機と変わりがない。
【課題を解決するための手段】
【０００６】
本発明は、上記の現状に鑑みてなされてものであり、第１の技術手段は、地上波デジタル放送を受信できる受信機において、受信可能な局のサーチを行った際に、複数の居住者地域設定の候補を居住者地域選択ボタンとして表示すると共に、その居住者地域設定におけるワンタッチボタンの自動設定結果を表示し、前記居住者地域選択ボタンの選択によりワンタッチボタンの設定と居住者地域設定を同時に行えるようにしたことを特徴としたものである。
【０００７】
第２の技術手段は、地上波デジタル放送を受信できる受信機において、受信可能な局のサーチを行った際に、複数の居住者地域設定の候補を居住者地域選択ボタンとして表示すると共に、その居住者地域設定における番組表の並び順の自動設定結果を表示し、前記居住者地域選択ボタンの選択により番組表の並び順の設定と居住者地域設定を同時に行えるようにしたことを特徴としたものである。
【０００８】
第３の技術手段は、地上波デジタル放送を受信できる受信機において、受信可能な局のサーチを行った際に、複数の居住者地域設定の候補を居住者地域選択ボタンとして表示すると共に、その居住者地域設定におけるワンタッチボタンの自動設定結果およびその居住者地域設定における番組表の並び順の自動設定結果をそれぞれ表示し、前記居住者地域選択ボタンの選択により居住者地域設定と、ワンタッチボタンの設定および番組表の並び順の設定とを同時に行えるようにしたことを特徴としたものである。
【０００９】
第４の技術手段は、第１〜３のいずれかの技術手段において、視聴者に提示する居住者地域設定の候補として、ワンタッチボタンに登録されるサービスの数が多いいくつかの地域を優先して表示し、他の地域については表示しないことを特徴としたものである。
【００１０】
第５の技術手段は、第１〜３のいずれかの技術手段において、視聴者に提示する居住者地域設定の候補として、放送局が放送波で指定するワンタッチボタン番号のとおりに登録されるサービスの数が多いいくつかの地域を優先して表示し、他の地域については表示しないことを特徴としたものである。
【００１１】
第６の技術手段は、第１〜３のいずれかの技術手段において、視聴者に提示する居住者地域設定の候補として、サーチ時に受信状態の良好であった局があるいくつかの地域を優先して表示し、他の地域については表示しないことを特徴としたものである。
【００１２】
第７の技術手段は、第１〜６のいずれかの技術手段において、最も適切と推定される居住者地域設定の候補を予め選択状態としておき、視聴者が居住者地域設定の選択を省略した場合にその候補が自動的に居住者地域設定されることを特徴としたものである。
【発明の効果】
【００１３】
本発明によれば、サーチ前の居住者地域設定が不要となり、可能性の高い地域を限定し、その選択肢を視聴者に提示することで、視聴者の居住者地域設定の手間が軽減される。また、居住者地域設定とワンタッチボタン割り当て、番組表並び順の対応を視聴者に提示することで、視聴者が意図せずに不適切な居住者地域設定を選択してしまい、ワンタッチボタン及び番組表の並び順も誤った設定となってしまうことを防止することができる。また、設定を面倒に感じた視聴者が設定を省略した場合においても、ワンタッチボタンに多くの放送局が割り当てられ、不便ではない居住者地域設定が選択された状態となる。
【００１４】
本発明によれば、居住者地域設定とワンタッチボタン設定との関係が視聴者に理解しやすくなり、適切な居住者地域設定を選択しやすくなる。
本発明によれば、居住者地域設定と番組表の並び順との関係が視聴者に理解しやすくなり、適切な居住者地域設定を選択しやすくなる。
本発明によれば、予め適切なワンタッチボタン設定となると推定される地域が候補として選ばれるため、視聴者が検討すべき居住者地域設定の選択肢が少なくなり、居住者地域設定の手間が軽減される。
本発明によれば、予め受信状況の良好な局のある地域が候補として選ばれるため、視聴者が検討すべき居住者地域設定の選択肢が少なくなり、居住者地域設定の手間が軽減される。
本発明によれば、設定を省略した視聴者においても、不適切な居住者地域設定によってワンタッチボタン設定及び番組表の並び順の設定が不便なものになってしまうことを防止できる。
【発明を実施するための最良の形態】
【００１５】
以下、本発明の実施形態について、図面を参照しながら説明する。図１は、本発明における地域設定画面の一例を示したものである。この地域設定画面１の表示動作については後で詳述するが、概ね次のようにして表示される。すなわち、受信可能な放送局のサーチを行った際に、すべての居住者地域設定の場合についてワンタッチボタン割り当て及び番組表の並び順を生成し、ワンタッチボタンに多くの放送局が割り当てられる順に、例えば５地域程度を居住者地域設定の候補として抽出し、抽出された候補の地域と「その他」を居住者地域選択ボタン２として画面表示すると共に、居住者地域選択ボタン２の選択状態となっている地域に対応したワンタッチボタン設定サンプル３および現在時刻の各局番組表サンプル４を表示する。居住者地域選択ボタン２、ワンタッチボタン設定サンプル３および番組表サンプルが表示されると、視聴者に地域設定の選択を促すメッセージ５が表示される。
ここで、もっともワンタッチボタンに多くの放送局が割り当てられた地域をデフォルトの選択状態としておく。この画面において、視聴者が各地域に対応するワンタッチボタン割り当て・番組表表示を見ながら、リモコン等を用いて地域を選択、決定することで、居住者地域設定を完了する。
【００１６】
図２は、本発明が適用される地上波デジタル放送受信機の概要を示すブロック構成図である。地上波デジタル放送受信機１０は、アンテナ１１から入ってきた放送波を、チューナ１２によって受信する。デマルチプレクサ１３は受信信号を映像・音声部分とＮＩＴ（Ｎｅｔｗｏｒｋ  Ｉｎｆｏｒｍａｔｉｏｎ  Ｔａｂｌｅ）などの番組情報部分に分離する。映像・音声はデコーダ１４によってデコードされる。また、ＮＩＴなどの情報部分はＣＰＵ１５に送られる。ＣＰＵ１５は番組情報部分を処理し、チャンネルサーチの結果やワンタッチボタン設定、番組表情報などをメモリ１６に記憶する。また、ＣＰＵ１５はメニューなどのＯＳＤを生成する。画像合成回路１７はデコーダ１４の生成した画像・音声とＣＰＵ１５の生成したＯＳＤを合成し、映像・音声信号として外部に出力する。また、リモコン装置２０はリモコン信号送信部２１からリモコン操作の情報を送信する。リモコン装置２０から送られてきた信号はリモコン信号受信部１８によって受信され、ＣＰＵ１５はこの信号の指示に従って選局などの動作を行う。
【００１７】
図３は、本実施形態で使用するリモコン装置の外観を示したものである。地上波デジタル放送受信機１０にワンタッチボタン割り当てが設定されている場合、ワンタッチボタン２２を押すことにより、各ボタンに登録されているチャンネルの選局が行える。ワンタッチボタン２２へのサービス登録情報は上述したように図２におけるメモリ１６に記憶されている。登録情報はチャンネルサーチを行った際に、居住者地域設定、サービスの地域識別、およびＮＩＴ内に記述されているｒｅｍｏｔｅ＿ｃｏｎｔｒｏｌ＿ｋｅｙ＿ｉｄを参照し、運用規定において規定されたアルゴリズムで自動的に設定する。また、矢印キー２３、決定キー２４でメニューなどの選択を行う。
【００１８】
次に、上述した図１の居住者地域設定画面に関する処理動作について、図４のフローチャートにより説明する。サーチ処理が開始されると、受信可能な周波数域をサーチし、受信可能サービスのリストを生成する（ステップＳ１）。この処理は従来の一般的な地上デジタル放送受信機と同じであり、詳細は省略する。
次に、居住者地域設定を仮に定め、サーチ結果に基づいてワンタッチボタン設定、番組表並び順設定の情報を生成し、居住者地域設定と対応させてメモリに記憶する（ステップＳ２）。以上の処理を運用既定において規定されているすべての居住者地域設定について行う。次に、後述する処理によって各地域の優先順位を比較し、優先順位の高い順に５地域を居住者地域設定として適切と推定される地域として抽出する（ステップＳ３）。次に、抽出された５地域を居住者地域選択ボタン２として、図１に例示したように左から優先順位の順に表示し（ステップＳ４）、最も優先順位の高い地域のボタンを選択状態にする（ステップＳ５）。次いで、選択状態となっているボタンの地域（図の例では「千葉」）に対応するワンタッチボタン設定サンプル３を表示し（ステップＳ６）、さらに現在時刻における番組表３を表示する（ステップＳ７）。図１における番組表４は一例であり、受信機の番組表表示機能のデザインと同一のデザインでサンプルを表示する。ここで、初期状態では優先順位の最も高い地域のボタン、つまり左端のボタンを選択状態としておく。
【００１９】
ステップＳ８において、矢印キー２３の左右が押されて選択している居住者地域選択ボタン２が変更された場合（ステップＳ９）はステップＳ１０に進み、居住者地域選択ボタン２の「その他」を選択中であると（Ｓ１０／ＹＥＳ）、ステップＳ８に戻り、キー入力待ちとなる。
ステップＳ１０において、居住者地域選択ボタン２の「その他」を選択中でなければ（ステップＳ１０／ＮＯ）、ステップＳ６に戻り、その地域に対応したワンタッチボタン設定、番組表サンプルの並び順を再表示する。
このように地域設定画面１の表示が変化することにより、居住者地域設定とワンタッチボタン設定、番組表の並び順との関係があることが視聴者に理解しやすくなる。また、新聞の番組欄などの並び順に合わせるため、あえて本来とは別の地域設定にしておきたい、といった視聴者のニーズにも対応しやすくなる。
【００２０】
ステップＳ８において、決定キーが押された場合はステップＳ１１に進み、居住者地域選択ボタン２の「その他」を選択中でなければ（ステップＳ１１／ＮＯ）、居住者地域設定を保存し（ステップＳ１２）、居住者地域設定に対応したワンタッチボタン設定、番組表並び順設定を保存し（ステップＳ１３）、選択していたボタンの地域を居住者地域設定として設定し、サーチ処理を完了する。
一方、ステップＳ１１において、居住者地域選択ボタン２の「その他」を選択中であると（ステップＳ１１／ＹＥＳ）、ステップＳ１４に進んで従来の階層メニューによる居住者地域設定画面を表示し、居住者地域設定、例えば地方−県名とたどっていく階層メニュー式の居住者地域設定を実行してサーチ処理を完了する。
【００２１】
なお、上述の実施形態で抽出する地域を５地域としたのは、画面に表示する選択肢を少なくすることで、居住者地域選択の手間を軽くすることを意図したためである。受信機の仕様に応じて、抽出する地域に増減があってもかまわない。
また、初期状態において優先順位の最も高い地域のボタンを選択状態にしておくのは、設定を面倒に感じて、画面を確認せずに終了してしまう視聴者を考慮したためである。この場合、最も適切と推定される地域が選ばれることになる。この地域は正確であるとは限らないが、例えば図６のような極端に不便な設定になってしまうことはなくなるため、誤った地域設定に伴うワンタッチボタン設定、番組表並び順設定の問題を小さくできる。
【００２２】
図５は、居住者地域設定の選択肢の優先順位を決定する処理の判定、すわなち、図４のステップＳ５における処理のフローチャートを示す。先ず、できるだけ多くのサービスがワンタッチボタンに登録できるように優先順位を決定する。すなわち、ステップＳ２１において、ワンタッチボタンに登録されるサービス数が同じか否かを判定し、同じでない場合は（ステップＳ２１／ＮＯ）、ワンタッチボタンに登録されるサービスが多い地域を優先とする（ステップＳ２２）。
ワンタッチボタンに登録されるサービス数が同じ場合は(ステップＳ２１／ＹＥＳ)、ステップＳ２３でｒｅｍｏｔｅ＿ｃｏｎｔｏｒｏｌ＿ｋｅｙ＿ｉｄと同じボタンに登録されているサービス数が同じか否かを判定し、同じでない場合は（ステップＳ２３／ＮＯ）、ｒｅｍｏｔｅ＿ｃｏｎｔｏｒｏｌ＿ｋｅｙ＿ｉｄと同じボタンに登録されているサービスが多い地域を優先とする（ステップＳ２４）。
ステップＳ２３において、ｒｅｍｏｔｅ＿ｃｏｎｔｏｒｏｌ＿ｋｅｙ＿ｉｄと同じボタンに登録されているサービス数が同じ場合は（ステップＳ２３／ＹＥＳ）、ステップＳ２５において、サーチ時に地域内で最もＣ／Ｎ比が良好であったチャンネルのＣ／Ｎ比を比較し、よりＣ／Ｎ比が良好なチャンネルが有った場合は（ステップＳ２５／ＮＯ）、そのチャンネルが有る地域を優先順位が高いとする（ステップＳ２６）。Ｃ／Ｎ比でも差がなかった場合は（ステップＳ２５／ＹＥＳ）比較基準がないため、各地域の地域識別の小さいものを優先順位が高いとする（ステップＳ２７）。
【００２３】
本実施形態においては、多くのサービスがワンタッチボタンに登録される状態を視聴者にとって使いやすい、適切な状態と考えて優先順位を決定するようにしたものである。受信状態を判定基準として最後に利用しているのは、受信状態は天候や地形などに左右されやすく、必ずしも受信地域を正しく反映するとは限らないためである。さらにケーブルテレビのパススルーによる視聴環境では、受信状態はどの局でも一定になってしまうことが考えられ、優先順位の判定に使うことはできない。
以上より、受信状態は優先的に使うべき判定基準ではないと考え、最後に利用することとした。これらの各判定基準の使用の有無、使用順序は一例であり、受信機の仕様によって変更してもよい。
【図面の簡単な説明】
【００２４】
【図１】本発明における地域設定画面の一例を示す図である。
【図２】本発明が適用される地上波デジタル放送装置の概要を示すブロック図である。
【図３】本発明の実施形態におけるリモコン装置の一例を示す外観図である。
【図４】本発明の実施形態におけるサーチおよび居住者地域設定のフローチャートである。
【図５】本発明の実施形態における居住者地域設定の優先順位判定のフローチャートである。
【図６】居住者地域設定によるワンタッチボタン割り当ての違いの例を示す図である。
【符号の説明】
【００２５】
１…地域設定画面、２…居住者地域設定ボタン、３…ワンタッチボタン設定サンプル、４…番組表サンプル、１０…地上波デジタル放送受信機、１１…アンテナ、１２…チューナ、１３…デマルチプレクサ、１４…デコーダ、１５…ＣＰＵ、１６…メモリ、１７…画像合成回路、１８…リモコン信号送信部、２０…リモコン装置、２１…リモコン信号受信部、２２…ワンタッチボタン、２３…矢印キー、２４…決定キー。
【図１】
2008271300.tif 000003
【図２】
2008271300.tif 000004
【図３】
2008271300.tif 000005
【図４】
2008271300.tif 000006
【図５】
2008271300.tif 000007
【図６】
2008271300.tif 000008